【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
移動体（１）に搭載され、画像を投影部材（３）に投影することにより、前記画像を乗員により視認可能に虚像表示するヘッドアップディスプレイ装置であって、
互いに配列され、照明を行なう複数の照明ユニット（１０，２１０）と、
照明対象面（３２，２３２）を有し、各前記照明ユニットがそれぞれ前記照明対象面のうち対応箇所を照明することにより、前記画像が形成される画像形成部（３０，２３０）と、を備え、
各前記照明ユニットは、
発光強度が最大となるピーク方向（ＰＤ）から乖離するに従って発光強度が低下する放射角度分布にて、照明光を発する発光素子（１２，２１２）と、
前記発光素子と向き合って配置され、前記照明光のうち前記ピーク方向の光を含む一部放射束を取り込んで集光により平行化する集光部（１４，２１４）と、を有し、
前記集光部は、入射側屈折面（１６）を単一の滑らかな面状に形成していると共に、射出側屈折面（１７）を単一の滑らかな面状に形成しているレンズ素子（１５）を、含むヘッドアップディスプレイ装置。
【請求項２】
前記発光素子の発光強度が前記ピーク方向に対して５０％以上である分布範囲の前記照明光を前記一部放射束として集光可能とするＦ値をＦｍｉｎとし、前記発光素子の発光強度が前記ピーク方向に対して９０％以上である分布範囲の前記照明光を前記一部放射束として集光可能とするＦ値をＦｍａｘとすると、
各前記照明ユニットにおいて、各前記集光部のＦ値は、Ｆｍｉｎ以上、かつ、Ｆｍａｘ以下である請求項１に記載のヘッドアップディスプレイ装置。
【請求項３】
前記照明ユニットの配列にて、一配列方向（ＡＤ）における前記発光素子の配列個数をＮａとし、前記一配列方向に対応する前記照明対象面の寸法をＬａとし、各前記集光部の焦点距離をｆとすると、Ｌａ／Ｎａは、
ｆ／Ｆｍａｘ≦Ｌａ／Ｎａ≦ｆ／Ｆｍｉｎ
の範囲に設定されている請求項２に記載のヘッドアップディスプレイ装置。
【請求項４】
各照明ユニットは、互いに交差する第１配列方向（ＡＤ１）及び第２配列方向（ＡＤ２）の２次元方向に配列され、
前記照明ユニットの配列にて、前記発光素子の総数をＮｓとし、前記照明対象面の面積をＳｔとし、各前記集光部の焦点距離をｆとすると、Ｓｔ／Ｎｓは、
ｆ２／Ｆｍａｘ２≦Ｓｔ／Ｎｓ≦ｆ２／Ｆｍｉｎ２
の範囲に設定されている請求項２又は３に記載のヘッドアップディスプレイ装置。
【請求項５】
各前記照明ユニットにおいて、前記集光部は、前記レンズ素子とは別に、前記照明光を複合光学面（２０）にて屈折させる第２レンズ素子（１８）をさらに有し、
前記複合光学面は、前記照明光を集光により平行化する集光面（２１）と、前記照明光を前記集光面の集光による屈折とは逆側に偏向する偏向面（２２）とが、交互に連なる交互配列構造を、形成している請求項１から４のいずれか１項に記載のヘッドアップディスプレイ装置。
【請求項６】
各前記照明ユニットにて、前記集光部は、前記発光素子と前記対応箇所との間の光路上に前記レンズ素子とは別の集光素子（１８）をさらに有し、
前記照明ユニットの配列にて、一配列方向における前記発光素子の配列個数をＮａとし、前記一配列方向に対応する前記照明対象面の寸法をＬａとし、前記発光素子と前記レンズ素子及び前記集光素子のうち前記対応箇所側の素子との間の距離をＬｏｐとし、前記レンズ素子と前記集光素子との間の距離をｄとすると、Ｌａ／Ｎａは、
（Ｌｏｐ−ｄ）／Ｆｍａｘ≦Ｌａ／Ｎａ≦（Ｌｏｐ−ｄ）／Ｆｍｉｎ
の範囲に設定されている請求項２に記載のヘッドアップディスプレイ装置。
【請求項７】
各前記照明ユニットは、互いに交差する第１配列方向及び第２配列方向の２次元方向に配列され、
各前記照明ユニットにおいて、前記集光部は、前記発光素子と前記対応箇所との間の光路上に前記レンズ素子とは別の集光素子（１８）をさらに有し、
前記照明ユニットの配列にて、前記発光素子の総数をＮｓとし、前記照明対象面の面積をＳｔとし、前記発光素子と前記レンズ素子及び前記集光素子のうち前記対応箇所側の素子との間の距離をＬｏｐとし、前記レンズ素子と前記集光素子との間の距離をｄとすると、Ｓｔ／Ｎｓは、
（Ｌｏｐ−ｄ）２／Ｆｍａｘ２≦Ｓｔ／Ｎｓ≦（Ｌｏｐ−ｄ）２／Ｆｍｉｎ２
の範囲に設定されている請求項２又は６に記載のヘッドアップディスプレイ装置。
【請求項８】
前記集光素子は、前記照明光を複合光学面にて屈折する第２レンズ素子であり、
前記複合光学面は、前記照明光を集光により平行化する集光面と、前記照明光を前記集光面の集光による屈折とは逆側に偏向する偏向面とが、交互に連なる交互配列構造を、形成している請求項６又は７に記載のヘッドアップディスプレイ装置。
【請求項９】
前記画像形成部は、前記照明対象面に沿って配置され、前記集光部により平行化された前記照明光を拡散する拡散部（３４）を有する請求項１から８のいずれか１項に記載のヘッドアップディスプレイ装置。
【請求項１０】
移動体（１）に搭載され、画像を投影部材（３）に投影することにより、前記画像を乗員により視認可能に虚像表示するヘッドアップディスプレイ装置において、
互いに配列され、照明を行なう複数の照明ユニット（１０，２１０）と、
照明対象面（３２，２３２）を有し、各前記照明ユニットがそれぞれ前記照明対象面のうち対応箇所を照明することにより、前記画像が形成される画像形成部（３０，２３０）と、を備え、
各前記照明ユニットは、
発光強度が最大となるピーク方向（ＰＤ）から乖離するに従って発光強度が低下する放射角度分布にて、照明光を発する発光素子（１２，２１２）と、
前記発光素子と向き合って配置され、前記照明光のうち前記ピーク方向の光を含む一部分を取り込んで集光により平行化する集光部（１４，２１４）と、を有し、
前記集光部は、入射側屈折面（１６）を単一の滑らかな面状に形成していると共に、射出側屈折面（１７）を単一の滑らかな面状に形成しているレンズ素子（１５）を、含むヘッドアップディスプレイ装置の生産方法であって、
前記照明ユニットの配列において、前記発光素子の前記放射角度分布に応じて前記集光部のＦ値を設定するＦ値設定ステップ（Ｓ１０）と、
前記Ｆ値に基づいて、前記照明ユニットの配列により前記照明対象面の全体が照明されるように、前記照明ユニットの総数を設定するユニット数設定ステップ（Ｓ２０）と、を含むヘッドアップディスプレイ装置の生産方法。
【手続補正２】
【補正対象書類名】明細書
【補正対象項目名】０００７
【補正方法】変更
【補正の内容】
【０００７】
開示される発明のひとつは、移動体（１）に搭載され、画像を投影部材（３）に投影することにより、画像を乗員により視認可能に虚像表示するヘッドアップディスプレイ装置であって、
互いに配列され、照明を行なう複数の照明ユニット（１０，２１０）と、
照明対象面（３２，２３２）を有し、各照明ユニットがそれぞれ照明対象面のうち対応箇所を照明することにより、画像が形成される画像形成部（３０，２３０）と、を備え、
各照明ユニットは、
発光強度が最大となるピーク方向（ＰＤ）から乖離するに従って発光強度が低下する放射角度分布にて、照明光を発する発光素子（１２，２１２）と、
発光素子と向き合って配置され、照明光のうちピーク方向の光を含む一部放射束を取り込んで集光により平行化する集光部（１４，２１４）と、を有し、
集光部は、入射側屈折面（１６）を単一の滑らかな面状に形成していると共に、射出側屈折面（１７）を単一の滑らかな面状に形成しているレンズ素子（１５）を、含む。
【手続補正３】
【補正対象書類名】明細書
【補正対象項目名】０００９
【補正方法】変更
【補正の内容】
【０００９】
開示される発明の他のひとつは、移動体（１）に搭載され、画像を投影部材（３）に投影することにより、画像を乗員により視認可能に虚像表示するヘッドアップディスプレイ装置において、
互いに配列され、照明を行なう複数の照明ユニット（１０，２１０）と、
照明対象面（３２，２３２）を有し、各照明ユニットがそれぞれ照明対象面のうち対応箇所を照明することにより、画像が形成される画像形成部（３０，２３０）と、を備え、
各照明ユニットは、
発光強度が最大となるピーク方向（ＰＤ）から乖離するに従って発光強度が低下する放射角度分布にて、照明光を発する発光素子（１２，２１２）と、
発光素子と向き合って配置され、照明光のうちピーク方向の光を含む一部分を取り込んで集光により平行化する集光部（１４，２１４）と、を有し、
集光部は、入射側屈折面（１６）を単一の滑らかな面状に形成していると共に、射出側屈折面（１７）を単一の滑らかな面状に形成しているレンズ素子（１５）を、含むヘッドアップディスプレイ装置の生産方法であって、
照明ユニットの配列において、発光素子の放射角度分布に応じて集光部のＦ値を設定するＦ値設定ステップ（Ｓ１０）と、
Ｆ値に基づいて、照明ユニットの配列により照明対象面の全体が照明されるように、照明ユニットの総数を設定するユニット数設定ステップ（Ｓ２０）と、を含む。